(57)【要約】【課題】レールカバーの浮き上がりの伝播を抑制すること。【解決手段】案内レール２の長手方向に互いに離間して配された複数の両面テープ片６によってレールカバー５を案内レール２に貼着するようにした。そのため、一の両面テープ片６が劣化し、その劣化部分が案内レール２から浮き上がった場合、サイドシール７がレールカバー５上を繰り返し摺動すると、前記一の両面テープ片６が劣化していない部分にまで前記浮き上がりは伝播するものの、浮き上がりの伝播は前記一の両面テープ片６内で（両面テープ片６の分割部分で）止めることができ、他の両面テープ片６に伝播させず、レールカバーの浮き上がりの伝播を抑制することができる。【選択図】  図２
2007247673.tif 000002
【特許請求の範囲】
【請求項１】
案内レールの上面を覆うレールカバーを装着したリニアガイドであって、
前記レールカバーは、前記案内レールの長手方向に互いに離間して配された複数の粘着テープ片によって前記案内レールに貼着されていることを特徴とするリニアガイド。
【請求項２】
前記粘着テープ片として、互いに性質の異なる複数の粘着テープ片を配したことを特徴とする請求項１に記載のリニアガイド。
【請求項３】
前記粘着テープ片として、耐液性に多少劣るが粘着力に優れた両面テープ片と、粘着力に多少劣るが耐液性に優れた両面テープ片とを交互に配したことを特徴とする請求項２に記載のリニアガイド。
【発明の詳細な説明】
【技術分野】
【０００１】
本発明は、案内レールの上面を覆うレールカバーを装着したリニアガイドに関する。
【背景技術】
【０００２】
従来、この種のリニアガイドとしては、例えば、案内レールの上面から底面に貫通して設けられた複数のボルト穴への異物（ゴミ、ほこり等）の侵入を防ぐために、案内レールの上面を覆うメタルテープを装着したものがある（例えば、特許文献１参照）。
このようなメタルテープは、案内レールの長手方向に沿って伸びている一枚の両面テープによって案内レールの上面に貼着されて、案内レールの上面を覆っている。
【０００３】
また、このようなリニアガイドにあっては、一般に、案内レールと摺接するシール装置がスライダに設けられ、スライダへの異物の侵入を防止するようになっている。
【特許文献１】特開２００３−２８１６０号公報
【発明の開示】
【発明が解決しようとする課題】
【０００４】
しかしながら、上記従来のリニアガイドにあっては、案内レールにメタルテープを貼着する両面テープが劣化すると、その劣化部分が案内レールから浮き上がる恐れがあった。
そして、メタルテープが部分的に浮き上がっている状態で、シール装置がメタルテープ上を繰り返し摺動すると、両面テープが劣化していない部分にまでメタルテープの浮き上がりが伝播し、最終的には、メタルテープがレールから脱落してしまう恐れがあった。
本発明は、上記従来のリニアガイドの未解決の問題点を解決することを目的とするものであって、レールカバーの浮き上がりの伝播を抑制可能なリニアガイドを提供することを課題とする。
【課題を解決するための手段】
【０００５】
上記課題を解決するために、本発明のリニアガイドは、案内レールの上面を覆うレールカバーを装着したリニアガイドであって、前記レールカバーは、前記案内レールの長手方向に互いに離間して配された複数の粘着テープ片によって前記案内レールに貼着されていることを特徴とする。
また、前記粘着テープ片として、互いに性質の異なる複数の粘着テープ片を配してもよい。具体的には、前記粘着テープ片として、耐液性に多少劣るが粘着力に優れた両面テープ片と、粘着力に多少劣るが耐液性に優れた両面テープ片とを交互に配してもよい。
【０００６】
このような構成によれば、一の粘着テープ片が劣化し、その劣化部分が案内レールから浮き上がった場合、シール装置がメタルテープ上を繰り返し摺動すると、前記一の粘着テープ片が劣化していない部分にまで前記浮き上がりは伝播するものの、浮き上がりの伝播は前記一の粘着テープ片内で（粘着テープ片の分割部分で）止めることができ、他の粘着テープ片に伝播させず、レールカバーの浮き上がりの伝播を抑制することができる。
【発明を実施するための最良の形態】
【０００７】
以下、本発明のリニアガイド（本発明のリターンガイドを組み込んだリニアガイド）の実施形態を、図面に基づいて説明する。
図１は、本発明のリニアガイドの一実施形態を示す斜視図である。この図１に示すように、リニアガイド１は、案内レール２と、その案内レール２に跨って設けられた断面略コ字状のスライダ３と、それらスライダ３に形成された鋼球軌道溝及び案内レール２に形成された鋼球軌道溝によって形成された鋼球転動路間に転動自在に配置される複数の鋼球４と、を含んで構成される。そして、それら鋼球転動路に沿って鋼球４が転がり運動をすることによって、スライダ３が案内レール２の長手方向に直線運動するようになっている。
【０００８】
また、案内レール２の上面には、図２に示すように、その上面を覆うレールカバー５が貼着されている。具体的には、レールカバー５は、案内レール２の長手方向に互いに端面が離間して配された複数の両面テープ片６によって案内レール２に貼着されている。
なお、レールカバー５の長さは、製造に要する手間の増大防止、及びレールカバー５の脱落防止の観点からは、レールカバー５の全長の１／３〜１／４の長さが好適である。
また、スライダ３の軸方向外側の端部には、案内レール２の上面（レールカバー５）と摺接してスライダ３の軸方向外側の端部をシールするサイドシール７が設けられている。
【０００９】
このように、本実施形態のリニアガイド１にあっては、案内レール２の長手方向に互いに離間して配された複数の両面テープ片６によってレールカバー５を案内レール２に貼着するようにした。そのため、一の両面テープ片６が劣化し、図３に示すように、その劣化部分が案内レール２から浮き上がった場合、サイドシール７がレールカバー５上を繰り返し摺動すると、前記一の両面テープ片６が劣化していない部分にまで前記浮き上がりは伝播するものの、浮き上がりの伝播は前記一の両面テープ片６内で止めることができ、他の両面テープ片６に伝播させず、レールカバーの浮き上がりの伝播を抑制することができる。その結果、レールカバー５が完全に脱落することを防止することができる。
なお、本発明のリニアガイドは、上記実施の形態の内容に限定されるものではなく、本発明の趣旨を逸脱しない範囲で適宜変更可能である。
【００１０】
上記実施形態では、単に、複数の両面テープ片６によってレールカバー５を案内レール２に貼着する例を示したが、これに限られるものではない。例えば、図４に示すように、耐液性に多少劣るが粘着力に優れた両面テープ片６ａと、粘着力に多少劣るが耐液性に優れた両面テープ片６ｂとの２種類の両面テープ片を交互に配するようにしてもよい。そのようにすれば、液状の物質がレールカバー５と接触するような環境下では、耐液性の強い両面テープ片６ｂによって、レールカバー５の浮き上がりを長期間に渡って防止できる。
【００１１】
一方、液状の物質がレールカバー５と接触しない環境下では、粘着力の強い粘着テープ５ａによって、レールカバー５の浮き上がりを長期間に渡って防止することができる。
すなわち、リニアガイド１の使用環境によらず、レールカバー５の浮き上がりを長期間に渡って防止でき、その結果、レールカバー５の脱落を長期間に渡って防止できる。
【図面の簡単な説明】
【００１２】
【図１】本発明のリニアガイドの一実施形態を示す構成図である。
【図２】図１の案内レール及びスライダを拡大して示す要部拡大図である。
【図３】本発明の動作を説明するための説明図である。
【図４】本発明の変形例を説明するための説明図である。
【符号の説明】
【００１３】
１はリニアガイド、２は案内レール、３はボールナット、４は鋼球、５はレールカバー、６は両面テープ片、７はサイドシール
【図１】
2007247673.tif 000003
【図２】
2007247673.tif 000004
【図３】
2007247673.tif 000005
【図４】
2007247673.tif 000006